(57)【要約】【課題】この発明は、アナログテレビジョン放送の表示映像にデジタル映像信号によるＯＳＤ映像を重畳して表示させる際に、より一層自由度の高い表示形態を実現し得るようにした映像信号処理装置及び映像信号処理方法を提供することを目的とする。【解決手段】入力アナログ映像信号をデジタル化したデジタル映像信号に第１のスケーリング処理を施す第１のスケーリング処理手段７７ａと、ＯＳＤ信号に第２のスケーリング処理を施す第２のスケーリング処理手段７７ｂと、第１のスケーリング処理を施したデジタル映像信号に第２のスケーリング処理を施したＯＳＤ信号を付加する付加手段７７ｃと、所定の操作に基づいて１及び第２のスケーリング処理に供するスケーリングデータをそれぞれ可変することにより、デジタル映像信号及びＯＳＤ信号の表示形態を変更するスケーリングデータ変更手段（１７，５９）とを備える。【選択図】図４
2006246248.tif 000002
【特許請求の範囲】
【請求項１】
入力されたデジタル映像信号にデコード処理を施し、特定の画素数を有するパネルでの表示用として設定されたデジタルのＯＳＤ信号を付加する処理手段と、
入力されたアナログ映像信号をデジタル化する変換手段と、
前記処理手段及び前記変換手段から出力されるデジタル映像信号に選択的に第１のスケーリング処理を施すとともに、前記ＯＳＤ信号に第２のスケーリング処理を施すもので、前記変換手段から出力されるデジタル映像信号に第１のスケーリング処理を施した信号に、前記第２のスケーリング処理を施したＯＳＤ信号を付加するスケーリング手段と、
所定の操作に基づいて、前記第１及び第２のスケーリング処理に供するスケーリングデータをそれぞれ可変することにより、前記デジタル映像信号及び前記ＯＳＤ信号の表示形態を変更するスケーリングデータ変更手段とを具備することを特徴とする映像信号処理装置。
【請求項２】
前記スケーリングデータ変更手段は、
前記デジタル映像信号及びＯＳＤ信号の表示サイズまたは表示位置を設定する操作を行なわせるための設定画面を表示する表示手段と、
前記表示手段で表示された設定画面により設定された表示サイズまたは表示位置に対応したスケーリングデータを、前記第１及び第２のスケーリング処理にそれぞれ供する制御手段とを具備することを特徴とする請求項１記載の映像信号処理装置。
【請求項３】
前記処理手段は、
入力されたデジタル映像信号にデコード処理を施すデコード処理手段と、
前記ＯＳＤ信号を発生する発生手段と、
前記デコード処理手段でデコード処理が施されたデジタル映像信号に前記発生手段で発生されるＯＳＤ信号を付加する第１の付加手段とを有することを特徴とする請求項１または２記載の映像信号処理装置。
【請求項４】
前記スケーリング手段は、
前記処理手段及び前記変換手段から出力されるデジタル映像信号に選択的に前記第１のスケーリング処理を施す第１のスケーリング処理手段と、
前記ＯＳＤ信号に前記第２のスケーリング処理を施す第２のスケーリング処理手段と、
前記変換手段から出力されるデジタル映像信号に第１のスケーリング処理を施した前記第１のスケーリング処理手段から出力されるデジタル映像信号に、前記第２のスケーリング処理手段から出力されるＯＳＤ信号を付加する第２の付加手段とを有することを特徴とする請求項１乃至３いずれかに記載の映像信号処理装置。
【請求項５】
デジタル映像信号が入力されたとき、その入力されたデジタル映像信号にデコード処理を施し、特定の画素数を有するパネルでの表示用として設定されたデジタルのＯＳＤ信号を付加し、第１のスケーリング処理を施して出力する第１の工程と、
アナログ映像信号が入力されたとき、その入力されたアナログ映像信号をデジタル化して前記第１のスケーリング処理を施し、第２のスケーリング処理が施された前記ＯＳＤ信号を付加する第２の工程と、
所定の操作に基づいて、前記第１及び第２のスケーリング処理に供するスケーリングデータをそれぞれ可変することにより、前記デジタル映像信号及び前記ＯＳＤ信号の表示形態を変更する第３の工程とを具備することを特徴とする映像信号処理方法。
【請求項６】
前記第３の工程は、
前記デジタル映像信号及びＯＳＤ信号の表示サイズまたは表示位置を設定する操作を行なわせるための設定画面を表示する工程と、
表示された設定画面により設定された表示サイズまたは表示位置に対応したスケーリングデータを、前記第１及び第２のスケーリング処理にそれぞれ供する工程とを具備することを特徴とする請求項５記載の映像信号処理方法。
【請求項７】
前記第１の工程は、
入力されたデジタル映像信号にデコード処理を施す工程と、
前記ＯＳＤ信号を発生する工程と、
前記デコード処理が施されたデジタル映像信号に前記発生されたＯＳＤ信号を付加する工程と、
前記ＯＳＤ信号が付加されたデジタル映像信号に前記第１のスケーリング処理を施す工程とを有することを特徴とする請求項５または６記載の映像信号処理方法。
【請求項８】
前記第２の工程は、
入力されたアナログ映像信号をデジタル化する工程と、
デジタル化された映像信号に前記第１のスケーリング処理を施す工程と、
前記ＯＳＤ信号に前記第２のスケーリング処理を施す工程と、
前記第１のスケーリング処理が施されたデジタル映像信号に前記第２のスケーリング処理が施されたＯＳＤ信号を付加する工程とを有することを特徴とする請求項５乃至７いずれかに記載の映像信号処理方法。
【請求項９】
デジタルまたはアナログの放送信号を受信する受信手段と、
前記受信手段で受信されたデジタルまたはアナログの放送信号からデジタルまたはアナログ映像信号を生成する生成手段と、
前記生成手段で生成されたデジタル映像信号にデコード処理を施し、特定の画素数を有するパネルでの表示用として設定されたデジタルのＯＳＤ信号を付加する処理手段と、
入力されたアナログ映像信号をデジタル化する変換手段と、
前記処理手段及び前記変換手段から出力されるデジタル映像信号に選択的に第１のスケーリング処理を施すとともに、前記ＯＳＤ信号に第２のスケーリング処理を施すもので、前記変換手段から出力されるデジタル映像信号に第１のスケーリング処理を施した信号に、前記第２のスケーリング処理を施したＯＳＤ信号を付加するスケーリング手段と、
所定の操作に基づいて、前記第１及び第２のスケーリング処理に供するスケーリングデータをそれぞれ可変することにより、前記デジタル映像信号及び前記ＯＳＤ信号の表示形態を変更するスケーリングデータ変更手段とを具備することを特徴とする放送受信装置。
【発明の詳細な説明】
【技術分野】
【０００１】
この発明は、例えばアナログテレビジョン放送とデジタル放送とを両方受信可能なテレビジョン放送受信装置等に使用して好適する映像信号処理装置及び映像信号処理方法に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
これにより、現状におけるテレビジョン放送受信装置としては、現行のアナログテレビジョン放送を受信して視聴することができる機能と、衛星デジタル放送及び地上デジタル放送を受信して視聴することができる機能との、両方の機能を搭載したものが要求されている。
【０００４】
ところで、この種のテレビジョン放送受信装置にあっては、ＯＳＤ（on screen display）のためのデジタルグラフィックスデータを予め用意しておき、このデジタルグラフィックスデータをアナログテレビジョン放送の受信時とデジタル放送の受信時とで共用するようにしている。
【０００５】
この場合、アナログテレビジョン放送の表示映像にデジタルグラフィックスデータによるＯＳＤ映像を重畳表示させることになるが、その際に、画質の劣化等を生じさせることなく、しかも、より効率的かつ自由な表示形態を実現することができ、ユーザにとっての取り扱いを便利にし、十分に実用に適する構成とすることが重要となる。
【０００６】
特許文献１には、映像表示装置から表示画面のアスペクト比に関するデータを取得し、取得したアスペクト比に関するデータに基づいて、映像表示装置に対して出力すべきＯＳＤの表示データを最適化し、その最適化された表示データを映像データと混合して映像表示装置に出力する構成が開示されている。
【０００７】
また、特許文献２には、指示された文字情報や色情報に基づく映像データを生成するとともに、指示に基づき、映像中の上下帯部や左右帯部（サイドパネル）を取り除いたり、さらには、映像の水平拡大や垂直拡大を行なう映像加工／ＯＳＤ回路を備えた放送受信装置が開示されている。
【特許文献１】特開２００３−１５３１１５号公報
【特許文献２】特開２００３−３３３４５５号公報
【発明の開示】
【発明が解決しようとする課題】
【０００８】
そこで、この発明は上記事情を考慮してなされたもので、アナログテレビジョン放送の表示映像にデジタル映像信号によるＯＳＤ映像を重畳して表示させる際に、より一層自由度の高い表示形態を実現し得るようにした映像信号処理装置及び映像信号処理方法を提供することを目的とする。
【課題を解決するための手段】
【０００９】
この発明に係る映像信号処理装置は、入力されたデジタル映像信号にデコード処理を施し、特定の画素数を有するパネルでの表示用として設定されたデジタルのＯＳＤ信号を付加する処理手段と、入力されたアナログ映像信号をデジタル化する変換手段と、処理手段及び変換手段から出力されるデジタル映像信号に選択的に第１のスケーリング処理を施すとともに、ＯＳＤ信号に第２のスケーリング処理を施すもので、変換手段から出力されるデジタル映像信号に第１のスケーリング処理を施した信号に、第２のスケーリング処理を施したＯＳＤ信号を付加するスケーリング手段と、所定の操作に基づいて、第１及び第２のスケーリング処理に供するスケーリングデータをそれぞれ可変することにより、デジタル映像信号及びＯＳＤ信号の表示形態を変更するスケーリングデータ変更手段とを備えるようにしたものである。
【００１０】
また、この発明に係る映像信号処理方法は、デジタル映像信号が入力されたとき、その入力されたデジタル映像信号にデコード処理を施し、特定の画素数を有するパネルでの表示用として設定されたデジタルのＯＳＤ信号を付加し、第１のスケーリング処理を施して出力する第１の工程と、アナログ映像信号が入力されたとき、その入力されたアナログ映像信号をデジタル化して第１のスケーリング処理を施し、第２のスケーリング処理が施されたＯＳＤ信号を付加する第２の工程と、所定の操作に基づいて、第１及び第２のスケーリング処理に供するスケーリングデータをそれぞれ可変することにより、デジタル映像信号及びＯＳＤ信号の表示形態を変更する第３の工程とを備えるようにしたものである。
【発明の効果】
【００１１】
上記した構成及び方法によれば、第１及び第２のスケーリング処理に供するスケーリングデータをそれぞれ可変することにより、デジタル映像信号及びＯＳＤ信号の表示形態を変更するようにしたので、アナログテレビジョン放送の表示映像にデジタル映像信号によるＯＳＤ映像を重畳して表示させる際に、より一層自由度の高い表示形態を実現することができる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（secure digital）メモリカード及びＭＭＣ（multimedia card）等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された半導体メモリを内蔵する第２のメモリカード［ＩＣ（integrated circuit）カード］２０が着脱可能となっており、この第２のメモリカード２０に対して情報の記録再生が行なわれるようになっている。
【００１６】
また、このデジタルテレビジョン放送受信装置１１は、第１のＬＡＮ（local area network）端子２１、第２のＬＡＮ端子２２、ＵＳＢ（universal serial bus）端子２３及びi．Link端子２４を備えている。
【００１７】
このうち、第１のＬＡＮ端子２１は、ＬＡＮ対応ＨＤＤ（hard disk drive）専用ポートとして使用されるもので、接続されたＮＡＳ（network attached storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、ＨＤＤ内臓のＤＶＤレコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記i．Link端子２４は、例えばＡＶ−ＨＤＤ４１及びＤ（digital）−ＶＨＳ（video home system）４２、さらには、地上波デジタルチューナ（図示せず）等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（phase shift keying）復調器４６に供給されて、デジタルの映像信号及び音声信号に復調された後、信号処理部４７に出力される。
【００２６】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（orthogonal frequency division multiplexing）復調器５１に供給されて、デジタルの映像信号及び音声信号に復調された後、上記信号処理部４７に出力される。
【００２８】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されて、アナログの映像信号及び音声信号に復調された後、上記信号処理部４７に出力される。
【００２９】
さらに、上記信号処理部４７には、複数（図示の場合は４つ）の入力端子５４ａ，５４ｂ，５４ｃ，５４ｄが接続されている。これら入力端子５４ａ〜５４ｄは、それぞれ、アナログの映像信号及び音声信号を、デジタルテレビジョン放送受信装置１１の外部から入力可能とするものである。
【００３０】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施している。
【００３１】
また、この信号処理部４７は、上記アナログ復調器５３及び各入力端子５４ａ〜５４ｄからそれぞれ供給されたアナログの映像信号及び音声信号を選択的にデジタル化し、そのデジタル化された映像信号及び音声信号に対して所定のデジタル信号処理を施している。
【００３２】
この信号処理部４７が行なうデジタル信号処理としては、例えば、映像信号に対するＭＰＥＧデコード処理、このＭＰＥＧデコード処理に伴なって発生するモスキートノイズを削減するＭＰＥＧノイズリダクション処理、映像信号にＯＳＤ用のデジタルグラフィックスデータ（以下、ＯＳＤ信号という）を重畳する処理、映像信号に対するスケーリング処理、音声信号に対するデコード処理等がある。
【００３３】
そして、信号処理部４７から出力されたデジタルの映像信号は、映像処理部５５に供給される。この映像処理部５５は、入力されたデジタルの映像信号を、前記映像表示器１４で表示可能なフォーマットのアナログ映像信号に変換した後、映像表示器１４に出力して映像表示させるとともに、出力端子５６を介して外部に導出させる。
【００３４】
また、信号処理部４７から出力されたデジタルの音声信号は、音声処理部５７に供給される。この音声処理部５７は、入力されたデジタルの音声信号を、前記スピーカ１５で再生可能なフォーマットのアナログ音声信号に変換した後、スピーカ１５に出力して音声再生させるとともに、出力端子５８を介して外部に導出させる。
【００３５】
ここで、このデジタルテレビジョン放送受信装置１１は、上記した各種の受信動作を含むその全ての動作を制御部５９によって統括的に制御されている。この制御部５９は、ＣＰＵ（central processing unit）等を内蔵しており、前記操作部１６からの操作情報を受け、または、リモートコントローラ１７から送出された操作情報を、前記受光部１８を介して受信し、その操作内容が反映されるように各部をそれぞれ制御している。
【００３６】
この場合、制御部５９は、主として、そのＣＰＵが実行する制御プログラムを格納したＲＯＭ（read only memory）６０と、該ＣＰＵに作業エリアを提供するＲＡＭ（random access memory）６１と、各種の設定情報及び制御情報等が格納される不揮発性メモリ６２とを利用している。
【００３７】
また、この制御部５９は、カードＩ／Ｆ（Interface）６３を介して、前記第１のメモリカード１９が装着可能なカードホルダ６４に接続されている。これによって、制御部５９は、カードホルダ６４に装着された第１のメモリカード１９と、カードＩ／Ｆ６３を介して情報伝送を行なうことができる。
【００３８】
さらに、上記制御部５９は、カードＩ／Ｆ６５を介して前記第２のメモリカード２０が装着可能なカードホルダ６６に接続されている。これによって、制御部５９は、カードホルダ６６に装着された第２のメモリカード２０と、カードＩ／Ｆ６５を介して情報伝送を行なうことができる。
【００３９】
また、上記制御部５９は、通信Ｉ／Ｆ６７を介して第１のＬＡＮ端子２１に接続されている。これにより、制御部５９は、第１のＬＡＮ端子２１に接続されたＬＡＮ対応のＨＤＤ２５と、通信Ｉ／Ｆ６７を介して情報伝送を行なうことができる。この場合、制御部５９は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４０】
さらに、上記制御部５９は、通信Ｉ／Ｆ６８を介して第２のＬＡＮ端子２２に接続されている。これにより、制御部５９は、第２のＬＡＮ端子２２に接続された各機器（図１参照）と、通信Ｉ／Ｆ６８を介して情報伝送を行なうことができる。
【００４１】
また、上記制御部５９は、ＵＳＢ Ｉ／Ｆ６９を介して前記ＵＳＢ端子２３に接続されている。これにより、制御部５９は、ＵＳＢ端子２３に接続された各機器（図１参照）と、ＵＳＢ Ｉ／Ｆ６９を介して情報伝送を行なうことができる。
【００４２】
さらに、上記制御部５９は、ｉ．Link Ｉ／Ｆ７０を介してｉ．Link端子２４に接続されている。これにより、制御部５９は、ｉ．Link端子２４に接続された各機器（図１参照）と、ｉ．Link Ｉ／Ｆ７０を介して情報伝送を行なうことができる。
【００４３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ、番組説明キー１７ｑ等が設けられている。
【００４４】
ここで、上記信号処理部４７が行なう、映像信号にＯＳＤ用のデジタル映像信号であるＯＳＤ信号を重畳する処理と、映像信号に対するスケーリング処理とについて説明する。これらの処理は、図４に示すように、上記信号処理部４７に含まれるＯＳＤスケーリング処理部７１によって実行される。
【００４５】
すなわち、上記ＰＳＫ復調器４６及びＯＦＤＭ復調器５１のいずれかを介して供給されたデジタルの映像信号は、入力端子７２を介してデコーダ部７３に供給される。このデコーダ部７３はＩＣ化されており、入力されたデジタル映像信号に所定のデコード処理を施すデコード処理部７３ａと、ＯＳＤ信号を発生するＯＳＤ信号発生部７３ｂと、デコード処理部７３ａから出力されたデジタル映像信号にＯＳＤ信号発生部７３ｂから出力されるＯＳＤ信号を付加する加算部７３ｃとを有している。そして、上記加算部７３ｃから出力されるＯＳＤ信号の付加されたデジタル映像信号は、セレクタ７４の一方の入力端に供給されている。
【００４６】
また、上記アナログ復調器５３及び各入力端子５４ａ〜５４ｄのいずれかを介して供給されたアナログの映像信号は、入力端子７５を介してＡ／Ｄ変換部７６に供給されることによりデジタルの映像信号に変換された後、上記セレクタ７４の他方の入力端に供給されている。
【００４７】
そして、このセレクタ７４は、デコーダ部７３から出力されるＯＳＤ信号の付加されたデジタル映像信号と、Ａ／Ｄ変換部７６から出力されるデジタル映像信号とを選択的にスケーリング部７７に供給する。
【００４８】
このスケーリング部７７はＩＣ化されており、セレクタ７４から供給されたデジタル映像信号にスケーリング処理を施すメインスケーリング処理部７７ａと、上記デコーダ部７３のＯＳＤ信号発生部７３ｂから出力されるＯＳＤ信号にスケーリング処理を施すサブスケーリング処理部７７ｂと、メインスケーリング処理部７７ａから出力されるデジタル映像信号にサブスケーリング処理部７７ｂから出力されるＯＳＤ信号を、例えばクロマキーのようにして付加する加算部７７ｃとを有している。
【００４９】
この場合、メインスケーリング処理部７７ａは、サブスケーリング処理部７７ｂよりも高品位なスケーリング処理を行なえるものとする。逆に言えば、サブスケーリング処理部７７ｂは、メインスケーリング処理部７７ａよりもスケーリング処理の品位が低いものが使用される。
【００５０】
そして、上記メインスケーリング処理部７７ａから出力されるデジタル映像信号は、出力端子７８を介してＯＳＤスケーリング処理部７１の外部に取り出され、上記加算部７７ｃから出力されるデジタル映像信号は、出力端子７９を介してＯＳＤスケーリング処理部７１の外部に取り出される。
【００５１】
ここで、デジタル放送の受信時には、入力端子７２に供給されたデジタル映像信号が、デコード処理部７３ａによりデコード処理された後、セレクタ７４を介してメインスケーリング処理部７７ａによりスケーリング処理されて、出力端子７８から導出される。
【００５２】
また、ＯＳＤ映像を重畳表示させる際には、ＯＳＤ信号発生部７３ｂからＯＳＤ信号を発生させ、加算部７３ｃによりデコード処理部７３ａから出力されたデジタル映像信号に付加する。そして、ＯＳＤ信号の付加されたデジタル映像信号が、セレクタ７４を介してメインスケーリング処理部７７ａによりスケーリング処理されて、出力端子７８から導出される。
【００５３】
一方、アナログテレビジョン放送の受信時には、入力端子７５に供給されたアナログ映像信号がＡ／Ｄ変換部７６でデジタル化され、そのデジタル映像信号がセレクタ７４を介してメインスケーリング処理部７７ａによりスケーリング処理された後、加算部７７ｃを介して出力端子７９から導出される。
【００５４】
また、ＯＳＤ映像を重畳表示させる際には、ＯＳＤ信号発生部７３ｂからＯＳＤ信号を発生させ、その発生されたＯＳＤ信号をサブスケーリング処理部７７ｂによりスケーリング処理させる。そして、サブスケーリング処理部７７ｂから出力されたＯＳＤ信号が、加算部７７ｃによりメインスケーリング処理部７７ａから出力されたデジタル映像信号に付加されて、出力端子７９から導出される。
【００５５】
図５は、上記したＯＳＤ信号を付加する動作を説明するためのフローチャートを示している。この動作は、例えば、デジタル放送またはアナログテレビジョン放送の受信中に、ユーザがＯＳＤの表示を要求する操作を行なうことにより開始（ステップＳ１）される。
【００５６】
すると、上記制御部５９は、ステップＳ２で、デジタル放送の受信中であるか、アナログテレビジョン放送の受信中であるかを判別する。そして、デジタル放送の受信中であると判断された場合、制御部５９は、ステップＳ３で、ユーザの要求に対応したＯＳＤ映像を表示させるためのＯＳＤ信号をＯＳＤ信号発生部７３ｂから出力させ、デコード処理部７３ａから出力されているデジタル映像信号に付加させる。
【００５７】
その後、制御部５９は、ステップＳ４で、ＯＳＤ信号が付加されたデジタル映像信号をメインスケーリング処理部７７ａに供給し、所定のスケーリング処理を施させた後、出力端子７８より出力させて、処理を終了（ステップＳ８）する。これにより、デジタル放送を受信して得られたデジタル映像信号に、ＯＳＤ信号を付加するとともにスケーリング処理を施すことができる。
【００５８】
一方、上記ステップＳ２で、アナログテレビジョン放送の受信中であると判断された場合、制御部５９は、ステップＳ５における、Ａ／Ｄ変換部７６から出力されメインスケーリング処理部７７ａでスケーリング処理されたデジタル映像信号に、ステップＳ６における、ユーザの要求に対応したＯＳＤ映像を表示させるためにＯＳＤ信号発生部７３ｂから出力させたＯＳＤ信号を、ステップＳ７において、加算部７７ｃにより付加させて、処理を終了（ステップＳ８）する。これにより、アナログテレビジョン放送を受信して得られた映像信号に、ＯＳＤ信号を付加するとともにスケーリング処理を施すことができる。
【００５９】
図６は、アナログテレビジョン放送の表示映像に、ＯＳＤによりメニュー画面Ｍが重畳して表示された一例を示している。この場合、メニュー画面Ｍは、画面中央に表示されている。
【００６０】
上記した実施の形態によれば、まず、デコード処理部７３ａから出力されるデジタル映像信号、または、Ａ／Ｄ変換部７６から出力されるデジタル映像信号が、メインスケーリング処理部７７ａに供給されてスケーリング処理されるようにしたので、放送または入力された本来の映像信号に高品位なスケーリング処理を施すことができ、画質の劣化を防止することができる。
【００６１】
また、アナログ映像信号は、Ａ／Ｄ変換部７６でデジタル化されメインスケーリング処理部７７ａでスケーリング処理された後、サブスケーリング処理部７７ｂからのＯＳＤ信号が付加されるようにしたので、遅延量を少なくすることができる。
【００６２】
すなわち、アナログ映像信号にＯＳＤ信号を付加する場合、一般的には、アナログ映像信号をデジタル化し、そのデジタル映像信号をデコーダ部７３に供給して、デコード処理後にＯＳＤ信号を付加させる構成が考えられる。しかしながら、アナログ映像信号は、本来、デコード処理部７３ａによりデコード処理をしなくてもよいものであり、また、デコード処理に要する時間も長くかかるため、画質の劣化や大幅な遅延が生じることになる。
【００６３】
これに対し、この実施の形態では、アナログ映像信号がデコーダ部７３を経由する必要がないため、この点でも画質の劣化を防止することができるとともに、大幅な遅延が生じることなく映像表示することが可能となる。
【００６４】
また、アナログ映像信号はメインスケーリング処理部７７ａによりスケーリング処理され、ＯＳＤ信号はサブスケーリング処理部７７ｂによりスケーリング処理するというように、アナログ映像信号とＯＳＤ信号とをそれぞれ別個に独立してスケーリング処理するようにしている。つまり、アナログテレビジョン放送の受信映像の画素数とは独立してＯＳＤ映像をスケーリングすることができる。
【００６５】
このため、上記映像表示器１４として、例えば、ＷＸＧＡ（wide extended graphics array）、ＸＧＡ、ＷＶＧＡ（wide video graphics array）、７２０ｐ（progressive）等、種々の画素数のパネルを使用しても、特定の画素数［例えば１０８０ｉ（interlace）］のパネル向けに予め用意されたＯＳＤ信号を、修正することなくそのまま利用することができる。
【００６６】
すなわち、上記ＯＳＤ信号発生部７３ｂが１０８０ｉの画素数のパネルに対応して作成されたＯＳＤ信号を発生するものである場合、そのＯＳＤ信号を各種の画素数を有するパネルに表示させるために、図７に示すような、パネル仕様と水平方向及び垂直方向のスケーリングデータとを対応付けて設定したテーブルを、ＲＯＭ６０に記憶させておくようにする。
【００６７】
そして、使用される映像表示器１４のパネルの画素数に応じて、上記テーブルから対応する水平方向及び垂直方向のスケーリングデータを取り出し、サブスケーリング処理部７７ｂに設定する。これにより、サブスケーリング処理部７７ｂは、設定されたスケーリングデータに基づいて、ＯＳＤ信号発生部７３ｂから出力されたＯＳＤ信号に対してスケーリング処理を施し、そのスケーリング処理されたＯＳＤ信号がパネルに表示される。
【００６８】
このように、アナログ映像信号とは独立にＯＳＤ信号をスケーリング処理することができるようにしたことにより、特定の画素数のパネルに対応して用意されたＯＳＤ信号を、他の画素数を有するパネルに対しても使用することができるので、各種の画素数のパネル毎にそれぞれＯＳＤ信号を用意しなくて済み、効率的である。
【００６９】
さらに、アナログ映像信号とＯＳＤ信号とをそれぞれ独立にスケーリング処理することにより、アナログ映像信号による映像とＯＳＤ信号によるＯＳＤ映像とに対して、それぞれ拡大縮小や表示位置の移動等を自由に行なうことが可能となる。
【００７０】
このような表示設定の変更は、まず、ユーザがリモートコントローラ１７のメニューキー１７ｐを操作してメニュー画面を表示させ、そのメニュー画面から階層化された各種のメニュー画面に分け入ることにより表示設定画面を表示させる。そして、この表示設定画面上で、拡大縮小や表示位置の設定を行なうことにより実現される。
【００７１】
図８は、上記表示設定画面を示している。この表示設定画面では、「水平位置」、「水平距離」、「垂直位置」、「垂直距離」、「左右分割」、「上下分割」、「拡大」の７つの項目が表示されている。これらの項目は、リモートコントローラ１７のカーソルキー１７ｆを操作することにより選択し、決定キー１７ｇを操作することにより決定することができる。
【００７２】
例えば、「水平位置」の項目を選択し決定することにより、その項目の右側に表示されたカーソルＫ１が、カーソルキー１７ｆの操作で左右に移動可能となる。そして、このカーソルＫ１の移動に伴なってＯＳＤ映像の水平方向の表示位置が変更されるように、サブスケーリング処理部７７ｂに与えられるスケーリングデータが可変される。
【００７３】
また、「水平距離」の項目を選択し決定することにより、その項目の右側に表示されたカーソルＫ２が、カーソルキー１７ｆの操作で左右に移動可能となる。そして、このカーソルＫ２の移動に伴なってＯＳＤ映像の水平方向の距離（幅）が変更されるように、サブスケーリング処理部７７ｂに与えられるスケーリングデータが可変される。
【００７４】
さらに、「垂直位置」の項目を選択し決定することにより、その項目の右側に表示されたカーソルＫ３が、カーソルキー１７ｆの操作で左右に移動可能となる。そして、このカーソルＫ３の移動に伴なってＯＳＤ映像の垂直方向の位置が変更されるように、サブスケーリング処理部７７ｂに与えられるスケーリングデータが可変される。
【００７５】
また、「垂直距離」の項目を選択し決定することにより、その項目の右側に表示されたカーソルＫ４が、カーソルキー１７ｆの操作で左右に移動可能となる。そして、このカーソルＫ４の移動に伴なってＯＳＤ映像の垂直方向の距離（高さ）が変更されるように、サブスケーリング処理部７７ｂに与えられるスケーリングデータが可変される。
【００７６】
上記のように、水平位置、水平距離、垂直位置及び垂直距離をそれぞれ設定することにより、図９（ａ）に示すように画面中央に表示されているＯＳＤ映像であるメニュー画面Ｍを、図９（ｂ）に示すように画面の右下に縮小して表示させることができる。
【００７７】
また、上記表示設定画面上において、「左右分割」の項目を選択し決定することにより、図１０に示すようにアナログ放送の映像とＯＳＤ映像であるメニュー画面Ｍとが、画面上で左右に分割して表示されるように、メインスケーリング処理部７７ａ及びサブスケーリング処理部７７ｂに与えられるスケーリングデータがそれぞれ可変される。
【００７８】
なお、この左右分割に際しては、アナログ放送の映像が、図１１（ａ）に示すように両側にサイドパネル（黒レベル部分）を含むパンスキャン形態で表示される場合は、図１１（ｂ）に示すように両側の黒レベル部分を右側にまとめ、その右側の黒レベル部分にメニュー画面Ｍを表示させることができる。
【００７９】
また、上記表示設定画面上において、「上下分割」の項目を選択し決定することにより、図１２（ａ）に示すように重畳して表示されていたアナログ放送の映像とＯＳＤ映像であるメニュー画面Ｍとが、図１２（ｂ）に示すように画面上で上下に分割して表示されるように、メインスケーリング処理部７７ａ及びサブスケーリング処理部７７ｂに与えられるスケーリングデータがそれぞれ可変される。
【００８０】
なお、この上下分割に際しては、アナログ放送の映像が上下に圧縮されて表示されることを避けるために、図１３に示すように、画面の右側に黒レベル部分を入れてアナログ映像が正規のアスペクト比で表示されるようにすることもできる。
【００８１】
さらに、上記表示設定画面上において、「拡大」の項目を選択し決定することにより、図１４（ａ）に示すように、アナログ放送の映像に重畳して表示されていたＯＳＤ映像であるメニュー画面Ｍの一部Ｍ１を、図１４（ｂ）に示すように拡大して表示させることも可能となる。
【００８２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８３】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す図。
【図４】同実施の形態におけるデジタルテレビジョン放送受信装置のＯＳＤスケーリング処理部を説明するために示すブロック構成図。
【図５】同実施の形態におけるデジタルテレビジョン放送受信装置のＯＳＤスケーリング処理部の動作を説明するために示すフローチャート。
【図６】同実施の形態におけるデジタルテレビジョン放送受信装置によって表示される画面の一例を説明するために示す図。
【図７】同実施の形態におけるデジタルテレビジョン放送受信装置に設定されるもので、ＯＳＤ信号を表示パネルの画素数に応じてスケーリングするためのテーブルを説明するために示す図。
【図８】同実施の形態におけるデジタルテレビジョン放送受信装置によって表示される表示設定画面の一例を説明するために示す図。
【図９】同実施の形態における表示設定画面によって設定された画面の一例を説明するために示す図。
【図１０】同実施の形態における表示設定画面によって設定された画面の他の例を説明するために示す図。
【図１１】同実施の形態における表示設定画面によって設定された画面のさらに他の例を説明するために示す図。
【図１２】同実施の形態における表示設定画面によって設定された画面のさらに他の例を説明するために示す図。
【図１３】同実施の形態における表示設定画面によって設定された画面のさらに他の例を説明するために示す図。
【図１４】同実施の形態における表示設定画面によって設定された画面のさらに他の例を説明するために示す図。
【符号の説明】
【００８４】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４ａ〜５４ｄ…入力端子、５５…映像処理部、５６…出力端子、５７…音声処理部、５８…出力端子、５９…制御部、６０…ＲＯＭ、６１…ＲＡＭ、６２…不揮発性メモリ、６３…カードＩ／Ｆ、６４…カードホルダ、６５…カードＩ／Ｆ、６６…カードホルダ、６７…通信Ｉ／Ｆ、６８…通信Ｉ／Ｆ、６９…ＵＳＢ Ｉ／Ｆ、７０…ｉ．Link Ｉ／Ｆ、７１…ＯＳＤスケーリング処理部、７２…入力端子、７３…デコーダ部、７４…セレクタ、７５…入力端子、７６…Ａ／Ｄ変換部、７７…スケーリング部、７８，７９…出力端子。
【図１】
2006246248.tif 000003
【図２】
2006246248.tif 000004
【図３】
2006246248.tif 000005
【図４】
2006246248.tif 000006
【図５】
2006246248.tif 000007
【図６】
2006246248.tif 000008
【図７】
2006246248.tif 000009
【図８】
2006246248.tif 000010
【図９】
2006246248.tif 000011
【図１０】
2006246248.tif 000012
【図１１】
2006246248.tif 000013
【図１２】
2006246248.tif 000014
【図１３】
2006246248.tif 000015
【図１４】
2006246248.tif 000016